(57)【特許請求の範囲】
【請求項１】
磁気テープから再生された低域変換色信号を元の周波数帯域の色信号に戻す第１の色信号変換回路と、前記再生低域変換色信号を１または２水平同期期間遅延させる遅延回路と、該遅延回路の出力信号を元の周波数帯域の色信号に戻す第２の色信号変換回路と、該第２の色信号変換回路に入力される信号を増幅する利得制御増幅回路と、前記第１及び第２の色信号変換回路に入力される２つの信号の振幅を比較し、該２つの信号の振幅が同一となるように前記利得制御増幅回路の利得を制御する振幅比較検波回路と、前記第１及び第２の色信号変換回路の出力信号を加算または減算することによりクロストーク成分を除去する演算回路とを備える色信号処理装置において、
前記利得制御増幅回路を前記遅延回路の入力側に配置し、前記遅延回路と、前記第２の色信号変換回路との間に、利得を少なくとも２段階に切り換え可能な利得可変増幅回路を設け、該利得可変増幅回路の利得を、記録時と異なる磁気テープ走行速度で再生を行う特殊再生時は、記録時と同一の磁気テープ走行速度で再生を行う通常再生時より大きくすることを特徴とする色信号処理装置。
【請求項２】
磁気テープから再生された低域変換色信号を元の周波数帯域の色信号に戻す色信号変換回路と、該色信号変換回路により元の周波数帯域に戻された色信号を１または２水平同期期間遅延させる遅延回路と、前記色信号変換回路の出力信号及び前記遅延回路の出力信号を加算または減算することによりクロストーク成分を除去する演算回路とを備える色信号処理装置において、
前記遅延回路の入力側に設けられた利得制御増幅回路と、
前記演算回路に入力される２つの信号の振幅を比較し、該２つの信号の振幅が同一となるように前記利得制御増幅回路の利得を制御する振幅比較検波回路と、前記遅延回路と、前記演算回路との間に設けられ、利得を少なくとも２段階に切り換え可能な利得可変増幅回路とを備え、
該利得可変増幅回路の利得を、記録時と異なる磁気テープ走行速度で再生を行う特殊再生時は、記録時と同一の磁気テープ走行速度で再生を行う通常再生時より大きくすることを特徴とする色信号処理装置。
【発明の詳細な説明】
【０００１】
【発明の属する技術分野】
本発明は、ＶＨＳ（登録商標）方式のように、色信号を低域変換色信号に変換して磁気テープ上の傾斜トラックに記録するビデオテープレコーダ（ＶＴＲ）の色信号処理装置に関し、特に再生時に隣接するトラックからのクロストークを除去するための色信号処理装置に関する。
【０００２】
【従来の技術】
画像信号中の輝度信号により搬送波を周波数変調してその周波数変調信号（ＦＭ輝度信号）を磁気テープに記録するとともに、色信号（色副搬送波信号）は、再生時にクロストークを除去するための処理を施しつつ、低周波の信号（低域変換色信号）に変換して磁気テープに記録する手法が、ＶＨＳ（登録商標）方式のＶＴＲなどで広く用いられている。
【０００３】
このようなＶＴＲの再生系では、低域変換色信号を元の帯域の色信号に変換する処理が行われる。その処理を行う色信号処理装置として、ダブルメインコンバータ方式を採用したものが、従来より知られている（特開平７−９９６７１号公報）。
【０００４】
図３は、この装置の構成を説明するためのブロック図であり、ローパスフィルタ１０１には、磁気テープから再生された信号を増幅するプリアンプの出力信号が供給される。プリアンプ出力信号は、ローパスフィルタ１０１により、ＦＭ輝度信号成分が除かれ、ＡＣＣ（自動カラー制御）回路１０２に供給される。ＡＣＣ回路１０２には、バーストゲート１１１及び振幅検波回路１１２より、最終的な色信号出力のバースト信号レベルを検波した信号が供給されており、色信号出力のバースト信号レベルが一定となるように、低域変換色信号のレベル調整が行われる。ＡＣＣ回路１０２の出力信号は、ローパスフィルタ１０３を経てダブルメインコンバータ部２００に入力される。
【０００５】
ダブルメインコンバータ部２００は、１水平同期期間（ＮＴＳＣ方式の場合）だけ信号を遅延させる遅延素子１０４と、利得制御増幅回路（以下「ＧＣＡ」という）１０５と、低域変換色信号を元の周波数帯域の色信号に戻す２つのメインコンバータ１０７，１０８と、メインコンバータ１０７，１０８の入力信号の振幅を比較し、その差に応じた信号をＧＣＡ１０４に供給することにより、２つのメインコンバータ１０７，１０８の入力信号レベルを等しくする振幅比較検波回路１０６と、２つのメインコンバータ１０７，１０８の出力信号の加算または減算を行うことにより、クロストーク成分を除去する演算回路１０９とから構成される。このダブルメインコンバータ部２００によれば、１水平同期期間遅延した信号（遅延ルートの信号）と、遅延しない信号（メインルートの信号）とが、それぞれメインコンバータ１０８及び１０７により、元の周波数帯域の色信号に変換され、演算回路１０９で加算または減算されて、クロストーク成分が除去される。演算回路１０９は、２つの信号に含まれるクロストーク成分が同位相のときは減算を行い、逆位相のときは加算を行ってクロストーク成分を除去する。
ダブルメインコンバータ部２００の出力信号は、バンドパスフィルタ１１０により不要成分が除去され、再生色信号として出力される。
【０００６】
【発明が解決しようとする課題】
静止画再生のように記録時と異なる磁気テープ走行速度で再生を行う特殊再生時は、再生低域変換色信号に、磁気テープ上の隣接するトラックからのクロストーク成分が通常再生時より多く含まれるので、ＡＣＣ回路１０２の出力信号の振幅は、通常再生時よりかなり大きくなる。このため、回路のダイナミックレンジが不足し、信号が歪んで再生カラー画質を悪化させる原因となる。
【０００７】
この問題を解決するために、クロストークの多い特殊再生時に合わせて内部信号レベルを定めると、クロストークの少ない通常再生時に信号レベルが小さくなり、Ｓ／Ｎの低下を招く。そこで、そのような不具合を改善した色信号処理装置が、特開平７−１５７４７号公報に示されている。
【０００８】
図４は、この装置の構成を示すブロック図であり、この装置は、ローパスフィルタ３０２と、利得制御増幅器３０３と、周波数変換器３０４と、バンドパスフィルタ３０６と、くし形フィルタ３０７と、利得可変増幅器３０８と、バーストゲート３１１と、振幅検波器３１２とで構成される。ここで、ローパスフィルタ３０２、利得制御増幅器３０３、周波数変換器３０４、バンドパスフィルタ３０６、バーストゲート３１１、及び振幅検波器３１２は、それぞれ図３に示すローパスフィルタ１０１、ＡＣＣ回路１０２、メインコンバータ１０７、バンドパスフィルタ１１０、バーストゲート１１１及び振幅検波回路１１２と同一の機能を有するブロックである。またくし形フィルタ３０７は、クロストーク成分を低減するフィルタであり、図３のダブルメインコンバータ部２００の周波数変換機能を除いた機能を有するブロックである。図４の装置では、利得可変増幅器３０８の利得が、特殊再生時と、通常再生時とを区別する制御信号ＳＣＴＬに応じて、通常再生時より特殊再生時の方が大きくなるように制御される。これにより、特殊再生時における利得制御増幅器３０３の利得を、通常再生時より低下させ、ダイナミックレンジを確保するとともに、通常再生時は信号レベルを確保して、いずれの場合においても画質の低下を防止できるようにしている。
【０００９】
しかしながら、図４に示された装置では、利得可変増幅器３０８における特殊再生時の利得を通常再生時より大きくすると、特殊再生時にはメインルートの信号（遅延させない信号）のレベルも下がってしまうので、Ｓ／Ｎが低下するという問題がある。また特殊再生時には、メインルートの信号のレベルも下がってしまうため、切換点が画面上で見えてしまうという問題もある。切換点を見えないようにするためには、切換点を垂直同期信号の近傍となるように制御する必要があり、構成が複雑化する。
また、図３に示された装置に同じ手法を適用し、ダブルメインコンバータ部２００の出力側に利得可変増幅器を設けても同様の問題が生じる。
【００１０】
本発明は上述した点に着目してなされたものであり、比較的簡単な構成で特殊再生時のダイナミックレンジを確保するとともに、通常再生時のＳ／Ｎ低下を防止し、良好な画質を得ることができる色信号処理装置を提供することを目的とする。
【００１１】
【課題を解決するための手段】
上記目的を達成するため請求項１に記載の発明は、磁気テープから再生された低域変換色信号を元の周波数帯域の色信号に戻す第１の色信号変換回路と、前記再生低域変換色信号を１または２水平同期期間遅延させる遅延回路と、該遅延回路の出力信号を元の周波数帯域の色信号に戻す第２の色信号変換回路と、該第２の色信号変換回路に入力される信号を増幅する利得制御増幅回路と、前記第１及び第２の色信号変換回路に入力される２つの信号の振幅を比較し、該２つの信号の振幅が同一となるように前記利得制御増幅回路の利得を制御する振幅比較検波回路と、前記第１及び第２の色信号変換回路の出力信号を加算または減算することによりクロストーク成分を除去する演算回路とを備える色信号処理装置において、前記利得制御増幅回路を前記遅延回路の入力側に配置し、前記遅延回路と、前記第２の色信号変換回路との間に、利得を少なくとも２段階に切り換え可能な利得可変増幅回路を設け、該利得可変増幅回路の利得を、記録時と異なる磁気テープ走行速度で再生を行う特殊再生時は、記録時と同一の磁気テープ走行速度で再生を行う通常再生時より大きくすることを特徴とする。
【００１２】
請求項２に記載の発明は、磁気テープから再生された低域変換色信号を元の周波数帯域の色信号に戻す色信号変換回路と、該色信号変換回路により元の周波数帯域に戻された色信号を１または２水平同期期間遅延させる遅延回路と、前記色信号変換回路の出力信号及び前記遅延回路の出力信号を加算または減算することによりクロストーク成分を除去する演算回路とを備える色信号処理回路において、前記遅延回路の入力側に設けられた利得制御増幅回路と、前記演算回路に入力される２つの信号の振幅を比較し、該２つの信号の振幅が同一となるように前記利得制御増幅回路の利得を制御する振幅比較検波回路と、前記遅延回路と、前記演算回路との間に設けられ、利得を少なくとも２段階に切り換え可能な利得可変増幅回路とを備え、該利得可変増幅回路の利得を、記録時と異なる磁気テープ走行速度で再生を行う特殊再生時は、記録時と同一の磁気テープ走行速度で再生を行う通常再生時より大きくすることを特徴とする。
【００１３】
【発明の実施の形態】
以下本発明の実施の形態を図面を参照して説明する。
（第１の実施形態）
図１は本発明の第１の実施形態にかかる色信号処理装置の構成を示すブロック図である。第１の実施形態は、図３に示すダブルメインコンバータ方式の色信号処理装置を改良したものであり、図１は、ダブルメインコンバータ部２００に相当する部分の構成を示している。これ以外の構成は、図３と同一である。
【００１４】
図１に示すように本実施形態の色信号処理装置は、利得制御増幅回路１と、１水平同期期間だけ入力信号を遅延させる遅延回路としての遅延素子２と、制御信号ＳＣＴＬに応じて２段階に利得を切り換えることができる利得可変増幅回路３と、再生低域変換色信号を元の周波数帯域の色信号に変換する第１の色信号変換回路としてのメインコンバータ１１と、遅延された再生低域変換色信号を元の周波数帯域の色信号に変換する第２の色信号変換回路としてのメインコンバータ１２と、メインコンバータ１１，１２の出力信号を加算または減算することにより再生低域変換色信号に含まれるクロストーク成分を除去する演算回路１３と、メインコンバータ１１，１２の入力信号の振幅を比較し、その比較結果に応じた信号を利得制御増幅回路１に供給することにより、メインコンバータ１２の入力信号の振幅がメインコンバータ１１の入力信号の振幅と等しくなるように、利得制御増幅回路１を制御する振幅比較検波回路４とを備えている。
【００１５】
制御信号ＳＣＴＬは、例えば特殊再生時に高レベル、通常再生時に低レベルとなる信号であり、利得可変増幅回路３は、制御信号ＳＣＴＬが高レベルのときは、低レベルのときより、利得が大きくなるように構成されている。
このように本実施形態では、利得制御増幅回路１を遅延素子２の入力側に配置するとともに、遅延素子２とメインコンバータ１２との間、換言すれば遅延素子２の出力側であって振幅比較検波回路４の入力側に利得可変増幅回路３を挿入し、この利得可変増幅回路３の利得を、特殊再生時は通常再生時より大きくするようにしたので、特殊再生時は、振幅比較検波回路４の出力信号が、利得制御増幅回路１の利得を下げる方向に変化し、遅延素子２の入力信号の振幅が低下する。その結果クロストークの多い特殊再生時は、ダイナミックレンジを確保することができ、またクロストークの少ない通常再生時は、遅延素子２のダイナミックレンジを有効に使用し、Ｓ／Ｎのよい状態で動作させることができる。しかもこの場合、メインルートの信号レベルは変化しないので、メインルートの信号レベルが下がって、Ｓ／Ｎが低下するという問題や、切換点が画面上で見えてしまうという問題は発生しない。
本実施形態の装置は、請求項１に記載した色信号処理装置に相当する。
【００１６】
（第２の実施形態）
図２は、本発明の第２の実施形態にかかる色信号処理装置の構成を示すブロック図である。第２の実施形態は、図４に示す従来の色信号処理装置を改良したものであり、図４のくし形フィルタ３０７及び利得可変増幅器３０８に代えて、図２に示す回路を用いるようにしたものである。図２に示す構成以外は、図４と同一である。
【００１７】
図２に示すように本実施形態の色信号処理装置は、利得制御増幅回路１Ａと、１水平同期期間だけ入力信号を遅延させる遅延回路としての遅延素子２Ａと、制御信号ＳＣＴＬに応じて２段階に利得を切り換えることができる利得可変増幅回路３Ａと、バンドパスフィルタ３０６の出力信号（メインルートの信号）及び利得可変増幅回路３Ａの出力信号８（遅延ルートの信号）を加算または減算することによりクロストーク成分を除去する演算回路１３Ａと、演算回路１３Ａの２つの入力信号、すなわちメインルートを介して入力される遅延していない信号及び遅延ルートを介して入力される遅延信号の振幅を比較し、その比較結果に応じた信号を利得制御増幅回路１Ａに供給することにより、演算回路１３Ａの２つの入力信号の振幅が等しくなるように、利得制御増幅回路１Ａを制御する振幅比較検波回路４Ａとを備えている。
【００１８】
すなわち、図２に示す色信号処理装置は、図１に示す装置からメインコンバータ１１，１２を削除し、バンドパスフィルタ３０６の出力信号を直接演算回路１３Ａに入力するとともに、利得可変増幅回路３Ａの出力信号を直接演算回路１３Ａに入力するようにしたものである。ここで、利得制御増幅回路１Ａ、遅延素子２Ａ、利得可変増幅回路３Ａ、演算回路１３Ａ、及び振幅比較検波回路４Ａは、図１に示す利得制御増幅回路１、遅延素子２、利得可変増幅回路３、演算回路１３、及び振幅比較検波回路４と基本的に同様の機能を有するが、扱う周波数帯域が異なるので、それに対応するための若干の修正が施されている。
【００１９】
そして制御信号ＳＣＴＬは、第１の実施形態と同様に、例えば特殊再生時に高レベル、通常再生時に低レベルとなる信号であり、利得可変増幅回路３Ａは、制御信号ＳＣＴＬが高レベルのときは、低レベルのときより、利得が大きくなるように構成されているので、図２に示す装置は、周波数変換を実行しない点を除き、図１に示す装置と同様に動作する。
【００２０】
したがって、図２に示す構成によっても、図１に示す装置と同様の効果を得ることができる。すなわち、クロストークの多い特殊再生時は、ダイナミックレンジを確保することができ、またクロストークの少ない通常再生時は、遅延素子２Ａのダイナミックレンジを有効に使用し、Ｓ／Ｎのよい状態で動作させることができ、しかもメインルートの信号レベルは変化しないので、メインルートの信号レベルが下がって、Ｓ／Ｎが低下するという問題や、切換点が画面上で見えてしまうという問題を回避することができる。
本実施形態の装置は、請求項２に記載した色信号処理装置に相当する。本実施形態では、（図４に示す従来の装置の）周波数変換器３０４及びバンドパスフィルタ３０６が、請求項２に記載した「色信号変換回路」に相当する。
【００２１】
（その他の実施形態）
なお本発明は上述した実施形態に限るものではなく、種々の変形が可能である。例えば、上述した実施形態では、特殊再生であるか、通常再生であるかに応じて、利得可変増幅回路３の利得を切り換えるようにしたが、これに限るものではなく、再生モードに応じて、すなわちスチル再生モード（磁気テープを停止させて再生するモード）、スロー再生モード（記録時より遅い磁気テープ走行速度で再生するモード）、またはサーチ再生モード（記録時より速い磁気テープ走行速度で再生するモード）のいずれであるかに応じて、利得を切り換えるようにしてもよい。さらに記録モードが、標準モードか、長時間モード（２倍モード、３倍モード）かに応じて利得を切り換えるようにしてもよい。
【００２２】
例えば、１）３倍モードで記録された磁気テープのスチル再生モード時のみ、他の特殊再生時より利得を大きくする、２）３倍モードで記録されたテープの特殊再生時は、通常再生時より４ｄＢ利得を大きくする一方、標準モードで記録されたテープの特殊再生時は、通常再生時より２ｄＢ利得を大きくする、といった設定を採用してもよい。なおそのような場合でも、特殊再生時は、通常再生時より利得を大きくする点は同じである。
【００２３】
また利得可変増幅回路３は、その利得を３段階以上、あるいは連続的に変更可能な増幅回路であってもよい。また、例えば２段階に利得を切り換えることができる利得可変増幅回路は、利得が固定された２つの増幅回路と、１つのスイッチ回路とで構成してもよい。また利得を連続的に変更可能な増幅回路、すなわち利得制御増幅回路１と同様の増幅回路を用いるとともに、増幅回路３の出力信号の振幅検波を行い、その振幅が信号の歪みを生じない最大振幅で一定となるように利得を自動制御するようにしてもよい。
【００２４】
さらに、利得可変増幅回路３の利得を切り換える際の画面上のノイズが目立つ場合には、そのノイズの出る期間中、遅延ルートの信号をメインルートの信号に加算または減算する処理を停止するようにしてもよい。
また上述した実施形態では、日本や米国などで使用されているＮＴＳＣ方式のＶＴＲを示し、遅延素子２として入力信号を１水平同期期間遅延させるものを使用したが、ドイツやイギリスなどで使用されているＰＡＬ方式のＶＴＲでは、入力信号を２水平同期期間遅延させる遅延素子を使用する。
【００２５】
【発明の効果】
以上詳述したように請求項１に記載の発明は、磁気テープから再生された低域変換色信号を元の周波数帯域の色信号に戻す第１の色信号変換回路と、前記再生低域変換色信号を１または２水平同期期間遅延させる遅延回路と、該遅延回路の出力信号を元の周波数帯域の色信号に戻す第２の色信号変換回路と、該第２の色信号変換回路に入力される信号を増幅する利得制御増幅回路と、前記第１及び第２の色信号変換回路に入力される２つの信号の振幅を比較し、該２つの信号の振幅が同一となるように前記利得制御増幅回路の利得を制御する振幅比較検波回路と、前記第１及び第２の色信号変換回路の出力信号を加算または減算することにより前記再生低域変換色信号に含まれるクロストーク成分を除去する演算回路とを備える色信号処理装置において、前記利得制御増幅回路を前記遅延回路の入力側に配置し、前記遅延回路と、前記第２の色信号変換回路との間に設けられた利得可変増幅回路の利得を、特殊再生時は、通常再生時より大きくするようにしたので、クロストークが多い特殊再生時は、振幅比較検波回路が利得制御増幅回路の利得を通常再生時より低下させ、遅延回路のダイナミックレンジを確保することができるとともに、クロストークの少ない通常再生時は、遅延回路のダイナミックレンジを有効に使用し、Ｓ／Ｎのよい状態で動作させることができる。しかも、遅延させない第１の色信号変換回路の入力信号レベルは変化しないので、この信号レベルの低下によるＳ／Ｎの低下や、利得の切換点が画面上で見えてしまうという問題を回避することができる。
【００２６】
請求項２に記載の発明は、磁気テープから再生された低域変換色信号を元の周波数帯域の色信号に戻す色信号変換回路と、該色信号変換回路により元の周波数帯域に戻された色信号を１または２水平同期期間遅延させる遅延回路と、前記色信号変換回路の出力信号及び前記遅延回路の出力信号を加算または減算することによりクロストーク成分を除去する演算回路とを備える色信号処理装置において、さらに前記遅延回路の入力側に設けられた利得制御増幅回路と、前記演算回路に入力される２つの信号の振幅を比較し、該２つの信号の振幅が同一となるように前記利得制御増幅回路の利得を制御する振幅比較検波回路と、前記遅延回路と、前記演算回路との間に設けられ、利得を少なくとも２段階に切り換え可能な利得可変増幅回路とを設け、該利得可変増幅回路の利得を、特殊再生時は通常再生時より大きくなるようにしたので、請求項１に記載の発明と同様の効果を奏する。
【図面の簡単な説明】
【図１】本発明の第１の実施形態にかかる色信号処理装置の要部の構成を示すブロック図である。
【図２】本発明の第２の実施形態にかかる色信号処理装置の要部の構成を示すブロック図である。
【図３】従来のダブルメインコンバータ方式の色信号処理装置の構成を示ブロック図である。
【図４】特殊再生時におけるダイナミックレンジを確保するための、従来の色信号処理装置の構成を示すブロック図である。
【符号の説明】
１，１Ａ  利得制御増幅回路
２，２Ａ  遅延素子（遅延回路）
３，３Ａ  利得可変増幅回路
４，４Ａ，  振幅比較検波回路
１１  メインコンバータ（第１の色信号変換回路）
１２  メインコンバータ（第２の色信号変換回路）
１３，１３Ａ  演算回路
３０４  周波数変換器（色信号変換回路）
３０６  バンドパスフィルタ（色信号変換回路）
【図１】
0003695270.tif 000002
【図２】
0003695270.tif 000003
【図３】
0003695270.tif 000004
【図４】
0003695270.tif 000005